(57)【要約】【課題】２つのスイッチそれぞれについて開放を検知することができる給電制御装置、開放検知方法及びコンピュータプログラムを提供することにある。【解決手段】給電制御装置１０の第１直列回路６では、第１スイッチ６０及び第１抵抗６１が直列に接続されている。第２直列回路７では、第２スイッチ７０及び第２抵抗７１が直列に接続されている。第２直列回路７は、第１直列回路６に並列に接続されている。電流検出回路８１は第１抵抗６１を流れる電流の電流値を検出する。制御部９６（開放検知部）は、記憶部９５に特定のデータが記憶されている場合、電流検出回路８１が検出した電流値に基づいて、第１スイッチ６０又は第２スイッチ７０の開放を検知する。制御部９６は、記憶部９５に特定のデータが記憶されていない場合、開放を検知しない。【選択図】図４
2020167611.tif 000002
【特許請求の範囲】
【請求項１】
第１スイッチ及び第２スイッチをオン又はオフに切替えることによって、前記第１スイッチ及び第２スイッチを介した給電を制御する給電制御装置であって、
第１抵抗及び前記第１スイッチが直列に接続される第１直列回路と、
第２抵抗及び前記第２スイッチが直列に接続され、前記第１直列回路に並列に接続される第２直列回路と、
前記第１抵抗を流れる電流の電流値を検出する電流検出回路と、
データが記憶される記憶部と、
前記記憶部に特定のデータが記憶されている場合、前記電流検出回路が検出した電流値に基づいて、前記第１スイッチ又は第２スイッチの開放を検知し、前記記憶部に前記特定のデータが記憶されていない場合、前記開放を検知しない開放検知部と
を備える給電制御装置。
【請求項２】
前記第１直列回路及び第２直列回路の並列回路に電気機器が接続された場合に前記特定のデータを前記記憶部に書き込む書き込み部
を備える請求項１に記載の給電制御装置。
【請求項３】
前記特定のデータの書き込みが指示された場合に前記第１スイッチ及び第２スイッチをオンに切替える切替え部と、
前記切替え部が前記第１スイッチ及び第２スイッチをオンに切替えた状態で、前記電流検出回路が検出した電流値が所定電流値を超える場合に前記特定のデータを前記記憶部に書き込む書き込み部と
を備える請求項１に記載の給電制御装置。
【請求項４】
第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、
特定のデータが記憶部に記憶されている場合、取得した電流値に基づいて、前記第１スイッチ又は第２スイッチの開放を検知するステップと
を含み、
前記特定のデータが前記記憶部に記憶されていない場合、前記開放を検知しない
開放検知方法。
【請求項５】
コンピュータに、
第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、
特定のデータが記憶部に記憶されている場合、取得した電流値に基づいて、前記第１スイッチ又は第２スイッチの開放を検知するステップと
を実行させ、
前記特定のデータが前記記憶部に記憶されていない場合、前記開放を検知しない
コンピュータプログラム。
【発明の詳細な説明】
【技術分野】
【０００１】
本開示は、給電制御装置、開放検知方法及びコンピュータプログラムに関する。
【背景技術】
【０００２】
車両には、直流電源から負荷への給電を制御する給電制御装置（例えば、特許文献１を参照）が搭載されている。特許文献１に記載されている給電制御装置では、２つの半導体スイッチの一端が直流電源の正極に接続され、２つの半導体スイッチの他端が負荷の一端に接続されている。制御回路は、２つの半導体スイッチをオン又はオフに切替える。２つの半導体スイッチがオンである場合、２つの半導体スイッチを介して直流電源から負荷に電力が供給される。２つの半導体スイッチがオフである場合、負荷への給電は停止する。
【先行技術文献】
【特許文献】
【０００３】
【特許文献１】特開２０１４−２３９２９３号公報
【発明の概要】
【発明が解決しようとする課題】
【０００４】
特許文献１に記載されている給電制御装置において、２つの半導体スイッチ中の１つが開放していると仮定する。この場合において、制御回路が２つの半導体スイッチのオンへの切替えを試みたとき、一方の半導体スイッチはオンに切替わらず、他方の半導体スイッチのみがオンに切替わる。この場合、１つの半導体スイッチを介して、直流電源から負荷に電力が供給され、電流が１つの半導体スイッチに集中する。結果、オンに切替わった半導体スイッチを流れる電流の電流値は大きい。
【０００５】
電流が半導体スイッチを流れた場合、半導体スイッチは発熱し、半導体スイッチの温度が上昇する。半導体スイッチを流れる電流の電流値が大きい程、半導体スイッチが発する熱の熱量は大きく、半導体スイッチの温度は高い温度に上昇する。半導体スイッチの温度が高い場合、半導体スイッチにおいて故障が発生する可能性がある。
【０００６】
従って、２つの半導体スイッチの一方の半導体スイッチが開放している場合において、他方の半導体スイッチがオンに切替わったとき、オンに切替わった半導体スイッチにおいても故障が発生する可能性がある。この故障の発生を防止するためには、２つの半導体スイッチそれぞれについて開放を検知する必要がある。一方の半導体スイッチが開放した場合、他方の半導体スイッチをオフに維持することによって、更なる故障の発生が防止される。
【０００７】
本開示は斯かる事情に鑑みてなされたものであり、その目的とするところは、２つのスイッチそれぞれについて開放を検知することができる給電制御装置、開放検知方法及びコンピュータプログラムを提供することにある。
【課題を解決するための手段】
【０００８】
本開示の一態様に係る給電制御装置は、第１スイッチ及び第２スイッチをオン又はオフに切替えることによって、前記第１スイッチ及び第２スイッチを介した給電を制御する給電制御装置であって、第１抵抗及び前記第１スイッチが直列に接続される第１直列回路と、第２抵抗及び前記第２スイッチが直列に接続され、前記第１直列回路に並列に接続される第２直列回路と、前記第１抵抗を流れる電流の電流値を検出する電流検出回路と、データが記憶される記憶部と、前記記憶部に特定のデータが記憶されている場合、前記電流検出回路が検出した電流値に基づいて、前記第１スイッチ又は第２スイッチの開放を検知し、前記記憶部に前記特定のデータが記憶されていない場合、前記開放を検知しない開放検知部とを備える。
【０００９】
本開示の一態様に係る開放検知方法は、第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、特定のデータが記憶部に記憶されている場合、取得した電流値に基づいて、前記第１スイッチ又は第２スイッチの開放を検知するステップとを含み、前記特定のデータが前記記憶部に記憶されていない場合、前記開放を検知しない。
【００１０】
本開示の一態様に係るコンピュータプログラムは、コンピュータに、第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、特定のデータが記憶部に記憶されている場合、取得した電流値に基づいて、前記第１スイッチ又は第２スイッチの開放を検知するステップとを実行させ、前記特定のデータが前記記憶部に記憶されていない場合、前記開放を検知しない。
【００１１】
なお、本開示を、このような特徴的な処理部を備える給電制御装置として実現することができるだけでなく、かかる特徴的な処理をステップとする給電制御方法として実現したり、かかるステップをコンピュータに実行させるためのコンピュータプログラムとして実現したりすることができる。また、本開示を、給電制御装置の一部又は全部を実現する半導体集積回路として実現したり、給電制御装置を含む電源システムとして実現したりすることができる。
【発明の効果】
【００１２】
上記の態様によれば、２つのスイッチそれぞれについて開放を検知することができる。
【図面の簡単な説明】
【００１３】
【図１】本実施形態における電気接続箱の説明図である。
【図２】本実施形態における電気接続箱の説明図である。
【図３】電気接続箱に第１機器を取り付ける手順の説明図である。
【図４】給電制御装置の要部構成を示すブロック図である。
【図５】書き込み処理の手順を示すフローチャートである。
【図６】給電制御処理の手順を示すフローチャートである。
【図７】開放検知処理の手順を示すフローチャートである。
【発明を実施するための形態】
【００１４】
［本開示の実施形態の説明］
最初に本開示の実施態様を列挙して説明する。以下に記載する実施形態の少なくとも一部を任意に組み合わせてもよい。
【００１５】
（１）本開示の一態様に係る給電制御装置は、第１スイッチ及び第２スイッチをオン又はオフに切替えることによって、前記第１スイッチ及び第２スイッチを介した給電を制御する給電制御装置であって、第１抵抗及び前記第１スイッチが直列に接続される第１直列回路と、第２抵抗及び前記第２スイッチが直列に接続され、前記第１直列回路に並列に接続される第２直列回路と、前記第１抵抗を流れる電流の電流値を検出する電流検出回路と、データが記憶される記憶部と、前記記憶部に特定のデータが記憶されている場合、前記電流検出回路が検出した電流値に基づいて、前記第１スイッチ又は第２スイッチの開放を検知し、前記記憶部に前記特定のデータが記憶されていない場合、前記開放を検知しない開放検知部とを備える。
【００１６】
（２）本開示の一態様に係る給電制御装置は、前記第１直列回路及び第２直列回路の並列回路に電気機器が接続された場合に前記特定のデータを前記記憶部に書き込む書き込み部を備える。
【００１７】
（３）本開示の一態様に係る給電制御装置は、前記特定のデータの書き込みが指示された場合に前記第１スイッチ及び第２スイッチをオンに切替える切替え部と、前記切替え部が前記第１スイッチ及び第２スイッチをオンに切替えた状態で、前記電流検出回路が検出した電流値が所定電流値を超える場合に前記特定のデータを前記記憶部に書き込む書き込み部とを備える。
【００１８】
（４）本開示の一態様に係る開放検知方法は、第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、特定のデータが記憶部に記憶されている場合、取得した電流値に基づいて、前記第１スイッチ又は第２スイッチの開放を検知するステップとを含み、前記特定のデータが前記記憶部に記憶されていない場合、前記開放を検知しない。
【００１９】
（５）本開示の一態様に係るコンピュータプログラムは、コンピュータに、第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、特定のデータが記憶部に記憶されている場合、取得した電流値に基づいて、前記第１スイッチ又は第２スイッチの開放を検知するステップとを実行させ、前記特定のデータが前記記憶部に記憶されていない場合、前記開放を検知しない。
【００２０】
上記の一態様に係る給電制御装置、開放検知方法及びコンピュータプログラムにあっては、第１スイッチが開放している場合において、第１スイッチ及び第２スイッチのオンへの切替えを試みたとき、第２スイッチのみがオンに切替わる。このとき、第１抵抗を電流が流れることはないので、第１抵抗を流れる電流の電流値は、ゼロＡであり、小さい。第２スイッチが開放している場合において、第１スイッチ及び第２スイッチのオンへの切替えを試みたとき、第１スイッチのみがオンに切替わる。このとき、第１抵抗を流れる電流の電流値は、第１スイッチ及び第２スイッチがオンである場合において第１抵抗に流れる電流の電流値よりも大きい。従って、第１スイッチ又は第２スイッチが開放した場合、第１抵抗を流れる電流の電流値は、大きく変動するので、第１抵抗を流れる電流の電流値に基づいて、第１スイッチ又は第２スイッチの開放を検知することができる。
【００２１】
特定のデータは、例えば、第１スイッチ及び第２スイッチを介した給電が可能となった場合、記憶部に書き込まれる。この構成では、第１スイッチ及び第２スイッチを介した給電が不可能である間、即ち、第１スイッチ及び第２スイッチを介して流れる電流の電流経路が形成されていない間、記憶部には特定のデータが記憶されていない。従って、第１スイッチ及び第２スイッチを介した給電が不可能である間に、第１スイッチの開放が誤って検知されることはない。
【００２２】
上記の一態様に係る給電制御装置にあっては、並列回路に電気機器が接続された場合、第１スイッチ及び第２スイッチを介して流れる電流の電流経路が形成されたとして、特定のデータを記憶部に書き込む。
【００２３】
上記の一態様に係る給電制御装置にあっては、特定のデータの書き込みが指示された場合、第１スイッチ及び第２スイッチのオンへの切替えを指示する。この状態で、第１抵抗を流れる電流の電流値が所定電流値を超える場合、第１スイッチ及び第２スイッチを介して流れる電流の電流経路が形成されたとして、特定のデータを記憶部に書き込む。
【００２４】
［本開示の実施形態の詳細］
本開示の実施形態に係る給電制御装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２５】
本実施形態では、具体例として、給電制御装置を備える電気接続箱を説明する。
＜電気接続箱の説明＞
図１及び図２は、本実施形態における電気接続箱１の説明図である。図１及び図２に示すように、電気接続箱１は、汎用的に用いられ、高機能車両Ｃａ及び低機能車両Ｃｂに搭載されている。高機能車両Ｃａには、電気接続箱１の他に、直流電源２、第１機器３及び複数の第２機器４が搭載されている。直流電源２は、例えばバッテリである。低機能車両Ｃｂには、高機能車両Ｃａに搭載されている構成部の中で、第１機器３を除く他の構成部が搭載されている。低機能車両Ｃｂには、第１機器３が搭載されていない。
【００２６】
高機能車両Ｃａ及び低機能車両Ｃｂの差異は、第１機器３が搭載されているか否かである。従って、低機能車両Ｃｂに第１機器３を搭載した場合、電気接続箱１が搭載されている車両は、低機能車両Ｃｂから高機能車両Ｃａに変更される。また、高機能車両Ｃａに搭載される第２機器４の数は、低機能車両Ｃｂに搭載される第２機器４の数と同一であってもよいし、異なっていてもよい。
【００２７】
第１機器３は、給電が制御され、かつ、高機能車両Ｃａの運転に必須ではない電気機器である。第２機器４は、例えば、給電が制御されるランプ若しくはワイパーモータ等の電気機器、又は、常時、電力が供給される電気機器、例えば、ＥＣＵ(Electronic Controller Unit)である。なお、性能又は種類等に関して、高機能車両Ｃａに搭載される第２機器４は、低機能車両Ｃｂに搭載される第２機器４と同じであってもよいし、異なっていてもよい。
【００２８】
直流電源２の正極はコネクタＦ１に接続されている。直流電源２の負極は接地されている。第１機器３は、コネクタＧ１に接続されるとともに接地されている。複数の第２機器４それぞれは、コネクタＨ１に接続されるとともに接地されている。接地は、例えば、高機能車両Ｃａ又は低機能車両Ｃｂのボディに接続することによって行われる。
【００２９】
図１に示すように、高機能車両Ｃａでは、コネクタＦ１，Ｇ１及び複数のコネクタＨ１それぞれは、電気接続箱１に接続される。コネクタＦ１，Ｇ１及び複数のコネクタＨ１が電気接続箱１に接続された場合、直流電源２、第１機器３及び複数の第２機器４は電気接続箱１に接続される。
【００３０】
直流電源２は、電気接続箱１を介して、第１機器３及び複数の第２機器４に電力を供給する。電気接続箱１は、コネクタＦ１，Ｇ１の電気的な接続と、この接続の遮断とを行うことによって、直流電源２から第１機器３への給電を制御する。
【００３１】
また、電気接続箱１は、直流電源２と複数の第２機器４とに接続する複数の接続機器を備える。直流電源２は、複数の接続機器を介して複数の第２機器４に電力を供給する。接続機器の第１例として、自身を流れる電流の電流値が所定電流値以上となった場合に溶断されるヒューズ又はヒュージブルリンク等の溶断素子が挙げられる。
【００３２】
接続機器の第２例として、直流電源２の出力電圧を所定電圧に変圧する昇圧回路又は降圧回路等の変圧回路が挙げられる。この場合、変圧回路は、直流電源２の出力電圧を変圧し、変圧した電圧を第２機器４に印加する。これにより、第２機器４に電力が供給される。接続機器の第３例として、スイッチが挙げられる。スイッチがオンである場合、直流電源２から第２機器４に電力が供給される。スイッチがオフである場合、直流電源２から第２機器４への給電が停止する。
なお、複数の接続機器それぞれの種類は、他の接続機器の種類と同じであってもよいし、異なっていてもよい。
【００３３】
電気接続箱１、直流電源２、第１機器３及び複数の第２機器４は、高機能車両Ｃａに搭載されている電源システム５ａに含まれる。
電気接続箱１は、接続機器の他に、給電制御装置１０を備える。給電制御装置１０は、コネクタＦ２，Ｇ２，Ｊ２，Ｋ２が各別に接続されている。コネクタＦ２，Ｇ２，Ｊ２，Ｋ２は電気接続箱１内に配置されている。コネクタＦ２，Ｇ２，Ｊ２，Ｋ２それぞれは、コネクタＦ１，Ｇ１，Ｊ１，Ｋ１に接続される。コネクタＦ１，Ｇ１，Ｊ１，Ｋ１は電気接続箱１の外側に配置されている。コネクタＪ１，Ｋ１それぞれには、信号を伝送するための信号線が接続されている。
【００３４】
電気接続箱１内において、コネクタＦ１は、給電制御装置１０だけではなく、前述した溶断素子、変圧回路又はスイッチ等の複数の接続機器にも接続されている。
コネクタＦ１がコネクタＦ２に接続されることによって、直流電源２が給電制御装置１０及び複数の接続機器に接続される。コネクタＧ１がコネクタＧ２に接続されることによって、第１機器３が給電制御装置１０に接続される。コネクタＪ２，Ｋ２それぞれにコネクタＪ１，Ｋ１が接続されることによって、２つの信号線が給電制御装置１０に接続される。
【００３５】
第１機器３の作動を指示する作動信号と、第１機器３の動作の停止を指示する停止信号と、電気接続箱１への第１機器３の接続を示す接続データの書き込みを指示する書き込み信号とが、コネクタＪ１，Ｊ２を介して給電制御装置１０に入力される。
【００３６】
給電制御装置１０は、後述する第１スイッチ６０及び第２スイッチ７０（図４参照）を有する。直流電源２は、第１スイッチ６０及び第２スイッチ７０を第１機器３に電力を供給する。
給電制御装置１０は、作動信号が入力された場合、第１スイッチ６０及び第２スイッチ７０をオンに切替える。これにより、コネクタＦ２，Ｇ２を電気的に接続され、直流電源２は、給電制御装置１０を介して第１機器３に電力を供給し、第１機器３は作動する。
【００３７】
給電制御装置１０は、停止信号が入力された場合、第１スイッチ６０及び第２スイッチ７０をオフに切替える。これにより、コネクタＦ２，Ｇ２の電気的な接続が遮断され、直流電源２から第１機器３への給電が停止し、第１機器３は動作を停止する。
【００３８】
第１機器３が電気接続箱１に接続されている場合において、書き込み信号が給電制御装置１０に入力されたとき、給電制御装置１０は、接続データを、後述する記憶部９５（図４参照）に書き込み、書き込みの完了を示す報知信号を、コネクタＫ２，Ｋ１を介して出力する。
第１機器３が電気接続箱１に接続されていない場合において、書き込み信号が給電制御装置１０に入力されたとき、給電制御装置１０は、接続データを記憶部９５に書き込まず、書き込みの未完了を示す報知信号をコネクタＫ２，Ｋ１を介して出力する。
【００３９】
給電制御装置１０は、記憶部９５に接続データが記憶されている場合、第１スイッチ６０又は第２スイッチ７０の開放を検知する。第１スイッチ６０の開放は、第１スイッチ６０がオフに固定され、第１スイッチ６０をオンに切替えることができない故障である。同様に、第２スイッチ７０の開放は、第２スイッチ７０がオフに固定され、第２スイッチ７０をオンに切替えることができない故障である。
【００４０】
給電制御装置１０は、第１スイッチ６０又は第２スイッチ７０の開放を検知した場合、第１スイッチ６０及び第２スイッチ７０の中で正常なスイッチをオフに切替え、直流電源２から第１機器３への給電を停止する。その後、給電制御装置１０は、作動信号が入力された場合であっても、第１スイッチ６０及び第２スイッチ７０のオフを維持する。
給電制御装置１０は、記憶部９５に接続データが記憶されていない場合、第１スイッチ６０又は第２スイッチ７０の開放を検知しない。
【００４１】
図２に示すように、低機能車両Ｃｂでは、コネクタＦ１及び複数のコネクタＨ１が電気接続箱１に接続される。これにより、直流電源２及び複数の第２機器４が電気接続箱１に接続される。前述したように、直流電源２は複数の第２機器４に電力を供給する。一方で、電気接続箱１において、コネクタＧ１，Ｇ２の接続、コネクタＪ１，Ｊ２の接続、及び、コネクタＫ１，Ｋ２の接続は外されている。この場合、給電制御装置１０は給電を制御することはない。
【００４２】
電気接続箱１、直流電源２及び複数の第２機器４は、低機能車両Ｃｂに搭載されている電源システム５ｂに含まれる。
【００４３】
＜電気接続箱１に第１機器３を取り付ける手順＞
図３は、電気接続箱１に第１機器３を取り付ける手順の説明図である。取り付け者は、コネクタＦ１，Ｊ１，Ｋ１それぞれを電気接続箱１のコネクタＦ２，Ｊ２，Ｋ２に接続している状態で、電気接続箱１に第１機器３を取り付ける。コネクタＪ１，Ｋ１は、２つの信号線によって、信号の入出力を行う図示しない入出力装置に接続されている。取り付け者は入出力装置を操作する。
【００４４】
取り付け者は、電気接続箱１に第１機器３を取り付ける場合、コネクタＧ２へのコネクタＧ１の接続を試みる。次に、入出力装置を操作することによって、入出力装置に書き込み信号を給電制御装置１０へ出力させる。
【００４５】
前述したように、第１機器３が電気接続箱１に接続されている場合において、書き込み信号が給電制御装置１０に入力されたとき、給電制御装置１０は、接続データを記憶部９５に書き込み、書き込みの完了を示す報知信号を入出力装置に出力する。第１機器３が電気接続箱１に接続されていない場合において、書き込み信号が給電制御装置１０に入力されたとき、給電制御装置１０は、接続データを記憶部９５に書き込まず、書き込みの未完了を示す報知信号を入出力装置に出力する。
【００４６】
入出力装置は、入力された報知信号が書き込みの完了を示す場合、書き込みの完了を示すメッセージを表示し、入力された報知信号が書き込みの未完了を示す場合、書き込みの未完了を示すメッセージを表示する。書き込みの未完了は、コネクタＧ１がコネクタＧ２に接続されていないことを示す。
【００４７】
取り付け者は、入出力装置が行う表示に基づいて、接続データの書き込みの完了を確認した場合、第１機器３の取り付けを終了する。取り付け者は、入出力装置が接続データの書き込みの未完了を表示した場合、再び、コネクタＧ２へのコネクタＧ１の接続を試み、入出力装置に書き込み信号を出力させる。
【００４８】
従って、第１機器３が電気接続箱１に取り付けられる前においては、記憶部９５に接続データは記憶されていないので、給電制御装置１０が第１スイッチ６０又は第２スイッチ７０の開放を誤って検知することはない。
【００４９】
また、低機能車両Ｃｂに搭載される電気接続箱１の給電制御装置１０が有する記憶部９５には接続データが記憶されていない。従って、低機能車両Ｃｂに搭載される電気接続箱１の給電制御装置１０が第１スイッチ６０又は第２スイッチ７０の開放を誤って検知することはない。前述したように、低機能車両Ｃｂに第１機器３を搭載することによって、電気接続箱１が搭載される車両を高機能車両Ｃａに変更することができる。この場合においては、第１機器３を電気接続箱１に取り付けたとき、給電制御装置１０の記憶部９５に接続データが書き込まれる。
【００５０】
入出力装置は、電気接続箱１に第１機器３を取り付けるための専用の装置であってもよい。この場合においては、取り付け者は、電気接続箱１への第１機器３の取り付けを終了したとき、入出力装置を電気接続箱１から外し、例えば、作動信号及び停止信号を出力するＥＣＵを電気接続箱１に接続する。
【００５１】
＜給電制御装置１０の構成＞
次に、給電制御装置１０の構成を詳細に説明する。図４は、給電制御装置１０の要部構成を示すブロック図である。給電制御装置１０は、第１直列回路６、第２直列回路７、駆動回路８０、電流検出回路８１及びマイクロコンピュータ（以下、マイコンという）８２を有する。第１直列回路６は、第１スイッチ６０及び第１抵抗６１を有する。第２直列回路７は、第２スイッチ７０及び第２抵抗７１を有する。第１スイッチ６０及び第２スイッチ７０それぞれは、Ｎチャネル型のＦＥＴ(Field Effect Transistor)である。マイコン８２は、出力部９０，９１、入力部９２，９３、Ａ(Analog)／Ｄ(Digital)変換部９４、記憶部９５及び制御部９６を有する。
【００５２】
第１スイッチ６０及び第２スイッチ７０のドレインは、コネクタＦ２に接続されている。第１直列回路６では、第１スイッチ６０のソースは第１抵抗６１の一端に接続されている。第２直列回路７では、第２スイッチ７０のソースは第２抵抗７１の一端に接続されている。第１抵抗６１及び第２抵抗７１の他端は、コネクタＧ２に接続されている。
【００５３】
以上のように、第１直列回路６では、第１スイッチ６０及び第１抵抗６１は直列に接続されている。第２直列回路７では、第２スイッチ７０及び第２抵抗７１が直列に接続されている。更に、第２直列回路７は、第１直列回路６に並列に接続され、第１直列回路６及び第２直列回路７は並列回路を形成している。この並列回路は、コネクタＦ２，Ｇ２に各別に接続されている。
【００５４】
第１スイッチ６０及び第２スイッチ７０のゲートは駆動回路８０に接続されている。駆動回路８０は、更に、マイコン８２の出力部９０に接続されている。第１抵抗の一端及び他端は、電流検出回路８１に各別に接続されている。電流検出回路８１は、更に、マイコン８２の入力部９２に接続されている。入力部９２は、更に、Ａ／Ｄ変換部９４に接続されている。出力部９０，９１、入力部９３、Ａ／Ｄ変換部９４、記憶部９５及び制御部９６は、内部バス９７に接続されている。
【００５５】
第１スイッチ６０において、ソースの電位を基準としたゲートの電圧が一定のオン閾値以上となった場合、第１スイッチ６０はオンに切替わる。第１スイッチ６０において、ソースの電位を基準としたゲートの電圧が一定のオフ閾値未満となった場合、第１スイッチ６０はオフに切替わる。オン閾値はオフ閾値以上である。
【００５６】
同様に、第２スイッチ７０において、ソースの電位を基準としたゲートの電圧がオン閾値以上となった場合、第２スイッチ７０はオンに切替わる。第２スイッチ７０において、ソースの電位を基準としたゲートの電圧がオフ閾値未満となった場合、第２スイッチ７０はオフに切替わる。
第１スイッチ６０及び第２スイッチ７０に係るオン閾値は、同じでもよいし、相互に異なっていてもよい。同様に、第１スイッチ６０及び第２スイッチ７０に係るオフ閾値は、同じでもよいし、相互に異なっていてもよい。
【００５７】
コネクタＦ１，Ｇ１，Ｊ１，Ｋ１それぞれがコネクタＦ２，Ｇ２，Ｊ２，Ｋ２に接続されていると仮定する。
マイコン８２の出力部９０は、駆動回路８０にハイレベル電圧又はローレベルの電圧を出力している。出力部９０は、制御部９６の指示に従って、駆動回路８０に出力している電圧を、ハイレベル電圧又はローレベル電圧に切替える。駆動回路８０は、出力部９０が出力している電圧がローレベル電圧からハイレベル電圧に切替わった場合、第１スイッチ６０及び第２スイッチ７０それぞれにおいて、接地電位を基準としたゲートの電圧を上昇させる。
【００５８】
これにより、第１スイッチ６０及び第２スイッチ７０それぞれでは、ソースの電位を基準としたゲートの電圧がオン閾値以上となる。結果、第１スイッチ６０及び第２スイッチ７０はオンに切替わる。第１スイッチ６０及び第２スイッチ７０がオンに切替わった場合、直流電源２は、第１スイッチ６０及び第２スイッチ７０を介して第１機器３に電力を供給し、第１機器３は作動する。オンである第１スイッチ６０及び第２スイッチ７０について、ドレイン及びソース間の２つの抵抗値が略一致している場合、第１スイッチ６０及び第２スイッチ７０それぞれを流れる電流の電流値は第１抵抗６１及び第２抵抗７１の抵抗値に依存する。
【００５９】
第１抵抗６１及び第２抵抗７１の抵抗値が同一である場合、第１スイッチ６０及び第２スイッチ７０を介して流れる２つの電流の電流値は略一致する。第１抵抗６１の抵抗値が第２抵抗７１の抵抗値よりも大きい場合、第１スイッチ６０を流れる電流の電流値が、第２スイッチ７０を流れる電流の電流値よりも小さい。第１抵抗６１の抵抗値が第２抵抗７１の抵抗値よりも小さい場合、第１スイッチ６０を流れる電流の電流値が、第２スイッチ７０を流れる電流の電流値よりも大きい。
【００６０】
駆動回路８０は、出力部９０が出力している電圧がハイレベル電圧からローレベル電圧に切替わった場合、第１スイッチ６０及び第２スイッチ７０それぞれにおいて、接地電位を基準としたゲートの電圧を低下させる。これにより、第１スイッチ６０及び第２スイッチ７０それぞれでは、ソースの電位を基準としたゲートの電圧がオフ閾値未満となる。結果、第１スイッチ６０及び第２スイッチ７０はオフに切替わる。第１スイッチ６０及び第２スイッチ７０がオフに切替わった場合、直流電源２から第１機器３への給電が停止し、第１機器３は動作を停止する。
【００６１】
第１スイッチ６０がオンである場合、電流は、第１スイッチ６０及び第１抵抗６１の順に流れる。電流検出回路８１は、第１抵抗６１を流れる電流の電流値を検出し、検出した電流値を示すアナログの電流情報を入力部９２に出力する。電流情報は、例えば、電流検出回路８１が検出した電流値を示す電圧値である。
【００６２】
入力部９２は、電流検出回路８１からアナログの電流情報が入力された場合、入力されたアナログの電流情報をＡ／Ｄ変換部９４に出力する。Ａ／Ｄ変換部９４は、入力部９２からアナログの電流情報が入力された場合、入力されたアナログの電流情報をデジタルの電流情報に変換する。制御部９６は、Ａ／Ｄ変換部９４が変換したデジタルの電流情報をＡ／Ｄ変換部９４から取得する。制御部９６が取得した電流情報が示す電流値は、取得時に第１抵抗６１を流れる電流の電流値に略一致する。
【００６３】
出力部９１は、制御部９６の指示に従って、接続データの書き込みの完了又は未完了を示す報知信号を、コネクタＫ２，Ｋ１を介して出力する。
作動信号、停止信号及び書き込み信号それぞれは、コネクタＪ１，Ｊ２を介して入力部９３に入力される。入力部９３は、作動信号、停止信号及び書き込み信号の１つが入力された場合、入力された信号を制御部９６に通知する。
【００６４】
記憶部９５は、例えば、不揮発性メモリである。記憶部９５には、コンピュータプログラムＰが記憶されている。制御部９６は、ＣＰＵ(Central Processing Unit)、ＧＰＵ(Graphics Processing Unit)又はＤＦＰ(Dataflow Processor)等の処理素子（コンピュータ）を有する。制御部９６の処理素子は、コンピュータプログラムＰを実行することによって、書き込み処理、給電制御処理及び開放検知処理を並行して実行する。
【００６５】
書き込み処理は、記憶部９５に接続データを書き込む処理である。給電制御処理は、直流電源２から第１機器３への給電を制御する処理である。開放検知処理は、第１スイッチ６０又は第２スイッチ７０の開放を検知する処理である。
【００６６】
なお、コンピュータプログラムＰは、制御部９６が有する処理素子が読み取り可能に記憶媒体Ｅに記憶されていてもよい。この場合、図示しない読み出し装置によって記憶媒体Ｅから読み出されたコンピュータプログラムＰが記憶部９５に書き込まれる。記憶媒体Ｅは、光ディスク、フレキシブルディスク、磁気ディスク、磁気光ディスク又は半導体メモリ等である。光ディスクは、ＣＤ（Compact Disc）−ＲＯＭ(Read Only Memory)、ＤＶＤ（Digital Versatile Disc）−ＲＯＭ、又は、ＢＤ（Blu-ray(登録商標) Disc）等である。磁気ディスクは、例えばハードディスクである。また、図示しない通信網に接続されている図示しない外部装置からコンピュータプログラムＰをダウンロードし、ダウンロードしたコンピュータプログラムＰを記憶部９５に書き込んでもよい。
【００６７】
また、制御部９６が有する処理素子の数は、１に限定されず、２以上であってもよい。この場合、複数の処理素子がコンピュータプログラムＰに従って、書き込み処理、給電制御処理及び開放検知処理を協同で実行してもよい。
【００６８】
前述したように、記憶部９５には、接続データが記憶される。更に、記憶部９５には、更に、給電制御を禁止しているか否かを示す禁止フラグの値が記憶されている。制御部９６は、禁止フラグの値をゼロ又は１に設定する。禁止フラグの値がゼロであることは、給電制御が禁止されていないことを意味する。禁止フラグの値が１であることは、給電制御が禁止されていることを意味する。
【００６９】
＜書き込み処理の説明＞
図５は、書き込み処理の手順を示すフローチャートである。図３を用いて説明したように、第１機器３を電気接続箱１に取り付ける過程において、入出力装置が給電制御装置１０の入力部９３に書き込み信号を出力する。制御部９６は、入力部９３に書き込み信号が入力された場合、即ち、接続データの書き込みが指示された場合に書き込み処理を開始する。
【００７０】
書き込み処理では、制御部９６は、まず、駆動回路８０に、第１スイッチ６０及び第２スイッチ７０をオンに切替えさせる（ステップＳ１）。具体的には、制御部９６は、出力部９０に指示して、駆動回路８０に出力している電圧をハイレベル電圧に切替えさせる。これにより、駆動回路８０は、第１スイッチ６０及び第２スイッチ７０をオンに切替える。駆動回路８０は切替え部として機能する。
【００７１】
コネクタＦ２はコネクタＦ１に接続されていると仮定する。コネクタＧ２にコネクタＧ１が接続されている場合において、第１スイッチ６０及び第２スイッチ７０がオンであるとき、直流電源２は、第１スイッチ６０及び第２スイッチ７０を介して第１機器３に電力を供給し、電流は第１抵抗６１を流れる。一方で、コネクタＧ２にコネクタＧ１が接続されていない場合、第１スイッチ６０及び第２スイッチ７０を介して電流が流れない。従って、第１抵抗６１を流れる電流の電流値は、ゼロＡである。
【００７２】
記憶部９５には、一定の基準電流値が予め記憶されている。基準電流値は、コネクタＧ２にコネクタＧ１が接続されており、かつ、第１スイッチ６０及び第２スイッチ７０がオンである場合に第１抵抗６１を流れる電流値未満である。更に、基準電流値はゼロＡ以上である。従って、第１スイッチ６０及び第２スイッチ７０をオンに切替えた場合において、第１抵抗６１を流れる電流値が基準電流値を超えていることは、コネクタＧ２がコネクタＧ１に接続されていることを意味する。同様の場合において、第１抵抗６１を流れる電流値が基準電流値以下であることは、コネクタＧ２がコネクタＧ１に接続されていないことを意味する。
【００７３】
制御部９６は、ステップＳ１を実行した後、Ａ／Ｄ変換部９４から電流情報を取得する（ステップＳ２）。ステップＳ２で取得する電流情報は、駆動回路８０が第１スイッチ６０及び第２スイッチ７０をオンに切替えた状態で、電流検出回路８１が検出した電流値である。前述したように、電流検出回路８１は、第１抵抗６１を流れる電流の電流値を検出する。
【００７４】
制御部９６は、ステップＳ２を実行した後、駆動回路８０に、第１スイッチ６０及び第２スイッチ７０をオフに切替えさせる（ステップＳ３）。具体的には、制御部９６は、出力部９０に指示して、駆動回路８０に出力している電圧をローレベル電圧に切替えさせる。これにより、駆動回路８０は第１スイッチ６０及び第２スイッチ７０をオフに切替える。
【００７５】
制御部９６は、ステップＳ２で取得した電流情報が示す電流値が基準電流値を超えているか否かを判定する（ステップＳ４）。制御部９６は、電流値が基準電流値を超えていると判定した場合（Ｓ４：ＹＥＳ）、記憶部９５に接続データを書き込む（ステップＳ５）。制御部９６は書き込み部としても機能する。
【００７６】
次に、制御部９６は、出力部９１に指示して、書き込みの完了を示す報知信号を、コネクタＫ２，Ｋ１を介して出力させる（ステップＳ６）。これにより、例えば、入出力装置において書き込みの完了を示すメッセージが表示され、書き込みの完了が取り付け者に報知される。
【００７７】
制御部９６は、電流値が基準電流値以下であると判定した場合（Ｓ４：ＮＯ）、出力部９１に指示して、書き込みの未完了を示す報知信号を、コネクタＫ２，Ｋ１を介して出力させる（ステップＳ７）。これにより、例えば、入出力装置において書き込みの未完了を示すメッセージが表示され、書き込みの未完了が取り付け者に報知される。
【００７８】
制御部９６は、ステップＳ６，Ｓ７の一方を実行した後、書き込み処理を終了する。取り付け者は、書き込みの未完了を確認した場合、再び、コネクタＧ２へのコネクタＧ１の接続を試み、入出力装置に書き込み信号を入力部９３へ出力させる。入力部９３に書き込み信号が再び入力された場合、書き込み処理が再び実行される。
【００７９】
＜給電制御処理の説明＞
図６は給電制御処理の手順を示すフローチャートである。制御部９６は、周期的に給電制御処理を実行する。給電制御処理では、まず、制御部９６は、禁止フラグの値が１であるか否かを判定する（ステップＳ１１）。制御部９６は、禁止フラグの値が１であると判定した場合（Ｓ１１：ＹＥＳ）、給電制御処理を終了する。
【００８０】
制御部９６は、禁止フラグの値が１ではない、即ち、禁止フラグの値がゼロであると判定した場合（Ｓ１１：ＮＯ）、入力部９３に作動信号が入力されたか否かを判定する（ステップＳ１２）。制御部９６は、作動信号が入力されていないと判定した場合（Ｓ１２：ＮＯ）、入力部９３に停止信号が入力されたか否かを判定する（ステップＳ１３）。制御部９６は、停止信号が入力されていないと判定した場合（Ｓ１３：ＮＯ）、給電制御処理を終了する。次の周期が到来した場合、制御部９６は給電制御処理を再び実行する。従って、禁止フラグの値がゼロである場合においては、入力部９３に作動信号又は停止信号が入力されるまで待機する。
【００８１】
制御部９６は、作動信号が入力されたと判定した場合（Ｓ１２：ＹＥＳ）、書き込み処理のステップＳ１と同様に、駆動回路８０に、第１スイッチ６０及び第２スイッチ７０をオンに切替えさせる（ステップＳ１４）。これにより、直流電源２は第１機器３に電力を供給し、第１機器３は作動する。
【００８２】
制御部９６は、停止信号が入力されたと判定した場合（Ｓ１３：ＹＥＳ）、書き込み処理のステップＳ３と同様に、駆動回路８０に、第１スイッチ６０及び第２スイッチ７０をオフに切替えさせる（ステップＳ１５）。これにより、直流電源２から第１機器３への給電は停止し、第１機器３は動作を停止する。制御部９６は、ステップＳ１４，Ｓ１５の一方を実行した後、給電制御処理を終了する。前述したように、次の周期が到来した場合、制御部９６は給電制御処理を再び実行する。
【００８３】
以上のように、禁止フラグの値がゼロである場合においては、駆動回路８０は、入力部９３への作動信号又は停止信号の入力に応じて、第１スイッチ６０及び第２スイッチ７０をオン又はオフに切替える。これにより、給電制御装置１０では、第１スイッチ６０及び第２スイッチ７０を介した直流電源２から第１機器３への給電が制御される。
【００８４】
後述するように、制御部９６は、禁止フラグの値を１に設定した場合、駆動回路８０に、第１スイッチ６０及び第２スイッチ７０をオフ切替えさせる。禁止フラグの値が１である場合、第１スイッチ６０及び第２スイッチ７０はオフである。給電制御処理では、禁止フラグの値が１である場合においては、作動信号が入力部９３に入力されたときであっても、第１スイッチ６０及び第２スイッチ７０は、オンに切替えられず、オフに維持される。
【００８５】
＜開放検知処理の説明＞
図４に示すコネクタＦ２，Ｇ２それぞれにコネクタＦ１，Ｇ１が接続されていると仮定する。第１スイッチ６０及び第２スイッチ７０において故障が発生していない場合において、駆動回路８０に出力している電圧のハイレベル電圧への切替えを制御部９６が出力部９０に指示したとき、第１スイッチ６０及び第２スイッチ７０がオンに切替わる。この場合、第１抵抗６１を電流が流れ、この電流の電流値は、ゼロＡを超えている。以下では、第１スイッチ６０及び第２スイッチ７０がオンである場合に第１抵抗６１を流れる電流の電流値を通常電流値と記載する。
【００８６】
第１スイッチ６０が開放している場合において、駆動回路８０に第１スイッチ６０及び第２スイッチ７０のオンへの切替えを指示したとき、第２スイッチ７０のみがオンに切替わる。このため、第１抵抗６１を流れる電流の電流値は、ゼロＡである。前述したように、制御部９６は、駆動回路８０に出力している電圧のハイレベル電圧への切替えを出力部９０に指示することによって、駆動回路８０にオンへの切替えを指示する。
【００８７】
記憶部９５には、ゼロＡを超えており、かつ、通常電流値以下である下側閾値が予め記憶されている。駆動回路８０に第１スイッチ６０及び第２スイッチ７０のオンへの切替えを指示しているにも関わらず、第１抵抗６１を流れる電流の電流値が下側閾値未満であることは、第１スイッチ６０の開放を意味する。
【００８８】
第２スイッチ７０が開放している場合において、駆動回路８０に第１スイッチ６０及び第２スイッチ７０のオンへの切替えを指示したとき、第１スイッチ６０のみがオンに切替わる。この場合、第１抵抗６１を流れる電流の電流値は、通常電流値よりも大きい。以下では、第１スイッチ６０がオンであり、かつ、第２スイッチ７０がオフである場合に、第１抵抗６１に流れる電流の電流値を異常電流値と記載する。
【００８９】
記憶部９５には、通常電流値以上であり、かつ、異常電流値未満である上側閾値が予め記憶されている。駆動回路８０に第１スイッチ６０及び第２スイッチ７０のオンへの切替えを指示しているにも関わらず、第１抵抗６１を流れる電流の電流値が上側閾値を超えていることは、第２スイッチ７０の開放を意味する。
【００９０】
図７は、開放検知処理の手順を示すフローチャートである。制御部９６は、開放検知処理を周期的に実行する。開放検知処理では、制御部９６は、まず、記憶部９５に接続データが記憶されているか否かを判定する（ステップＳ２１）。制御部９６は、接続データが記憶されていないと判定した場合（Ｓ２１：ＮＯ）、開放を検知することなく、開放検知処理を終了する。接続データは特定のデータに相当する。
【００９１】
制御部９６は、接続データが記憶されていると判定した場合（Ｓ２１：ＹＥＳ）、ハイレベル電圧への切替えを出力部９０に指示することによって、駆動回路８０に第１スイッチ６０及び第２スイッチ７０のオンへの切替えを指示しているか否かを判定する（ステップＳ２２）。制御部９６は、オンへの切替えを指示していないと判定した場合（Ｓ２２：ＮＯ）、開放を検知することができないので、開放検知処理を終了する。
【００９２】
制御部９６は、オンへの切替えを指示していると判定した場合（Ｓ２２：ＹＥＳ）、Ａ／Ｄ変換部９４から電流情報を取得する（ステップＳ２３）。
次に、制御部９６は、ステップＳ２３で取得した電流情報が示す電流値、即ち、第１抵抗６１を流れる電流の電流値が下側閾値未満であるか否かを判定する（ステップＳ２４）。制御部９６は、電流値が下側閾値以上であると判定した場合（Ｓ２４：ＮＯ）、ステップＳ２３で取得した電流情報が示す電流値が上側閾値を超えているか否かを判定する（ステップＳ２５）。
【００９３】
制御部９６は、電流値が上側閾値以下であると判定した場合（Ｓ２５：ＮＯ）、第１スイッチ６０又は第２スイッチ７０は開放していないとして、開放検知処理を終了する。次の周期が到来した場合、制御部９６は、再び開放検知処理を実行する。
【００９４】
制御部９６は、電流値が下側閾値未満であると判定した場合（Ｓ２４：ＹＥＳ）、又は、電流値が上側閾値を超えていると判定した場合（Ｓ２５：ＹＥＳ）、第１スイッチ６０又は第２スイッチ７０が開放しているとして、禁止フラグの値を１に設定する（ステップＳ２６）。前述したように、ステップＳ２３で取得した電流情報が示す電流値が下側閾値未満であることは第１スイッチ６０の開放を意味する。ステップＳ２３で取得した電流情報が示す電流値が上側閾値を超えていることは第２スイッチ７０の開放を意味する。
【００９５】
従って、ステップＳ２４において、電流値が下側閾値未満であると判定したこと、及び、ステップＳ２５において、電流値が上側閾値を超えていると判定することは、開放を検知することに相当する。制御部９６は、開放検知部としても機能する。
【００９６】
制御部９６は、ステップＳ２６を実行した後、書き込み処理のステップＳ３と同様に、駆動回路８０に、第１スイッチ６０及び第２スイッチ７０をオフに切替えさせる（ステップＳ２７）。これにより、第１スイッチ６０及び第２スイッチ７０の中で、開放していないスイッチはオフに切替わり、直流電源２から第１機器３への給電が停止する。その後、給電制御処理において、開放していないスイッチがオンに切替わることはない。このため、電流値が大きい電流が第１スイッチ６０又は第２スイッチ７０を流れ、第１スイッチ６０及び第２スイッチ７０の中で開放していないスイッチにおいても故障が発生することはない。
制御部９６は、ステップＳ２７を実行した後、開放検知処理を終了する。次の周期が到来した場合、制御部９６は再び開放検知処理を実行する。
【００９７】
＜効果及びなお書き＞
以上のように、開放検知処理では、制御部９６は、第１抵抗を流れる電流の電流値に基づいて、第１スイッチ６０又は第２スイッチ７０の開放を検知することができる。また、電気接続箱１への第１機器３の取り付けでは、制御部９６は、第１直列回路６及び第２直列回路７の並列回路に第１機器３が接続された場合、即ち、コネクタＧ２にコネクタＧ１が接続された場合、接続データを記憶部９５に書き込む。
【００９８】
詳細には、制御部９６は、書き込み信号の入力によって実行された書き込み処理において、第１スイッチ６０及び第２スイッチ７０のオンへの切替えを指示する。この状態で、第１抵抗６１を流れる電流の電流値が基準電流値を超える場合、接続データを記憶部９５に書き込む。このように、制御部９６は、第１スイッチ６０及び第２スイッチ７０を介して流れる電流の電流経路が形成され、第１スイッチ６０及び第２スイッチ７０を介した給電が可能となった場合、記憶部９５に接続データを書き込む。
【００９９】
従って、第１スイッチ６０及び第２スイッチ７０を介した給電が不可能である間、即ち、第１スイッチ６０及び第２スイッチ７０を介して流れる電流の電流経路が形成されていない間、記憶部９５には接続データが記憶されていない。従って、第１スイッチ６０及び第２スイッチ７０を介した給電が不可能である間、例えば、第１機器３が電気接続箱１に接続されない間に、第１スイッチ６０の開放が誤って検知されることはない。第１スイッチ６０及び第２スイッチ７０を介した給電が不可能である間でも、例えば、外乱ノイズの影響によって駆動回路８０が誤って第１スイッチ６０及び第２スイッチ７０をオンに切替える可能性がある。この場合、第１抵抗６１を流れる電流の電流値が、ゼロＡであり、下側閾値未満である。従って、本実施形態の構成とは異なる構成、即ち、接続データを書き込まない構成では、第１スイッチ６０の開放が誤って検知される可能性がある。
【０１００】
なお、本実施形態において、接続データの代わりに、例えば、ゼロ又は１に設定される接続フラグの値が記憶部９５に記憶されていてもよい。例えば、接続フラグの値に関して、ゼロを、第１機器３が電気接続箱１に接続されていないことを対応させ、１を、第１機器３が電気接続箱１に接続されていることに対応させる。
【０１０１】
接続フラグを用いる場合、書き込み処理のステップＳ５において、接続データを書き込む代わりに、接続フラグの値を１に設定する。ステップＳ５が実行されるまで、接続フラグの値はゼロに設定されている。開放検知処理のステップＳ２１では、接続データが記憶されているか否かの代わりに、接続フラグの値が１であるか否かを判定する。制御部９６は、接続フラグの値が１であると判定した場合にステップＳ２２を実行し、接続フラグの値がゼロであると判定した場合に開放検知処理を終了する。接続フラグの値を変更する構成は、接続データを書き込む構成が奏する効果と同様の効果を奏する。この場合、値が１である接続フラグが特定のデータに相当する。
【０１０２】
また、高機能車両Ｃａ及び低機能車両Ｃｂそれぞれにおいて搭載される第２機器４の数は、２以上に限定されず、１であってもよい。更に、第１スイッチ６０及び第２スイッチ７０それぞれは、Ｎチャネル型のＦＥＴに限定されず、Ｐチャネル型のＦＥＴ、ＩＧＢＴ（Insulated Gate Bipolar Transistor）又はバイポーラトランジスタ等の半導体スイッチであってもよい。
【０１０３】
開示された本実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【０１０４】
１  電気接続箱
２  直流電源
３  第１機器
４  第２機器
５ａ，５ｂ  電源システム
６  第１直列回路
７  第２直列回路
１０  給電制御装置
６０  第１スイッチ
６１  第１抵抗
７０  第２スイッチ
７１  第２抵抗
８０  駆動回路（切替え部）
８１  電流検出回路
８２  マイコン
９０，９１  出力部
９２，９３  入力部
９４  Ａ／Ｄ変換部
９５  記憶部
９６  制御部（開放検知部、書き込み部）
９７  内部バス
Ｃａ  高機能車両
Ｃｂ  低機能車両
Ｅ  記憶媒体
Ｆ１，Ｆ２，Ｇ１，Ｇ２，Ｈ１，Ｊ１，Ｊ２，Ｋ１，Ｋ２  コネクタ
Ｐ  コンピュータプログラム
【図１】
2020167611.tif 000003
【図２】
2020167611.tif 000004
【図３】
2020167611.tif 000005
【図４】
2020167611.tif 000006
【図５】
2020167611.tif 000007
【図６】
2020167611.tif 000008
【図７】
2020167611.tif 000009
【手続補正書】
【提出日】令和2年8月5日(2020.8.5)
【手続補正１】
【補正対象書類名】明細書
【補正対象項目名】０００８
【補正方法】変更
【補正の内容】
【０００８】
本開示の一態様に係る給電制御装置は、第１スイッチ及び第２スイッチをオン又はオフに切替えることによって、前記第１スイッチ及び第２スイッチを介した給電を制御する給電制御装置であって、第１抵抗及び前記第１スイッチが直列に接続される第１直列回路と、第２抵抗及び前記第２スイッチが直列に接続され、前記第１直列回路に並列に接続される第２直列回路と、前記第１抵抗を流れる電流の電流値を検出する電流検出回路と、データが記憶される記憶部と、前記記憶部に、前記第１スイッチ及び第２スイッチを介した給電が可能であることを示す特定のデータが記憶されている場合、前記電流検出回路が検出した電流値に基づいて、前記第１スイッチ又は第２スイッチの開放を検知し、前記記憶部に前記特定のデータが記憶されていない場合、前記開放の検知を実行しない開放検知部とを備え、前記開放検知部は、前記電流検出回路が検出した電流値が第１閾値未満である場合に前記第１スイッチの開放を検知し、前記電流検出回路が検出した電流値が第２閾値を超えている場合に前記第２スイッチの開放を検知し、前記第１閾値は前記第２閾値以下である。
【手続補正２】
【補正対象書類名】明細書
【補正対象項目名】０００９
【補正方法】変更
【補正の内容】
【０００９】
本開示の一態様に係る開放検知方法は、第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、前記第１スイッチ及び第２スイッチを介した給電が可能であることを示す特定のデータが記憶部に記憶されている場合、取得した電流値が第１閾値未満であるとき、前記第１スイッチの開放を検知するステップと、前記特定のデータが前記記憶部に記憶されている場合、取得した電流値が第２閾値を超えているとき、前記第２スイッチの開放を検知するステップとを含み、前記特定のデータが前記記憶部に記憶されていない場合、前記開放の検知を実行せず、前記第１閾値は前記第２閾値以下である。
【手続補正３】
【補正対象書類名】明細書
【補正対象項目名】００１０
【補正方法】変更
【補正の内容】
【００１０】
本開示の一態様に係るコンピュータプログラムは、コンピュータに、第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、前記第１スイッチ及び第２スイッチを介した給電が可能であることを示す特定のデータが記憶部に記憶されている場合、取得した電流値が第１閾値未満であるとき、前記第１スイッチの開放を検知するステップと、前記特定のデータが前記記憶部に記憶されている場合、取得した電流値が第２閾値を超えているとき、前記第２スイッチの開放を検知するステップとを実行させ、前記特定のデータが前記記憶部に記憶されていない場合、前記開放の検知を実行せず、前記第１閾値は前記第２閾値以下である。
【手続補正４】
【補正対象書類名】特許請求の範囲
【補正対象項目名】全文
【補正方法】変更
【補正の内容】
【特許請求の範囲】
【請求項１】
第１スイッチ及び第２スイッチをオン又はオフに切替えることによって、前記第１スイッチ及び第２スイッチを介した給電を制御する給電制御装置であって、
第１抵抗及び前記第１スイッチが直列に接続される第１直列回路と、
第２抵抗及び前記第２スイッチが直列に接続され、前記第１直列回路に並列に接続される第２直列回路と、
前記第１抵抗を流れる電流の電流値を検出する電流検出回路と、
データが記憶される記憶部と、
前記記憶部に、前記第１スイッチ及び第２スイッチを介した給電が可能であることを示す特定のデータが記憶されている場合、前記電流検出回路が検出した電流値に基づいて、前記第１スイッチ又は第２スイッチの開放を検知し、前記記憶部に前記特定のデータが記憶されていない場合、前記開放の検知を実行しない開放検知部と
を備え、
前記開放検知部は、前記電流検出回路が検出した電流値が第１閾値未満である場合に前記第１スイッチの開放を検知し、前記電流検出回路が検出した電流値が第２閾値を超えている場合に前記第２スイッチの開放を検知し、
前記第１閾値は前記第２閾値以下である
給電制御装置。
【請求項２】
前記第１直列回路及び第２直列回路の並列回路に電気機器が接続された場合に前記特定のデータを前記記憶部に書き込む書き込み部
を備える請求項１に記載の給電制御装置。
【請求項３】
前記特定のデータの書き込みが指示された場合に前記第１スイッチ及び第２スイッチをオンに切替える切替え部と、
前記切替え部が前記第１スイッチ及び第２スイッチをオンに切替えた状態で、前記電流検出回路が検出した電流値が所定電流値を超える場合に前記特定のデータを前記記憶部に書き込む書き込み部と
を備える請求項１に記載の給電制御装置。
【請求項４】
第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、
前記第１スイッチ及び第２スイッチを介した給電が可能であることを示す特定のデータが記憶部に記憶されている場合、取得した電流値が第１閾値未満であるとき、前記第１スイッチの開放を検知するステップと、
前記特定のデータが前記記憶部に記憶されている場合、取得した電流値が第２閾値を超えているとき、前記第２スイッチの開放を検知するステップと
を含み、
前記特定のデータが前記記憶部に記憶されていない場合、前記開放の検知を実行せず、
前記第１閾値は前記第２閾値以下である
開放検知方法。
【請求項５】
コンピュータに、
第１スイッチ及び第１抵抗が直列に接続される第１直列回路に、第２スイッチ及び第２抵抗が直列に接続される第２直列回路が並列に接続される並列回路の前記第１抵抗を流れる電流の電流値を取得するステップと、
前記第１スイッチ及び第２スイッチを介した給電が可能であることを示す特定のデータが記憶部に記憶されている場合、取得した電流値が第１閾値未満であるとき、前記第１スイッチの開放を検知するステップと、
前記特定のデータが前記記憶部に記憶されている場合、取得した電流値が第２閾値を超えているとき、前記第２スイッチの開放を検知するステップと
を実行させ、
前記特定のデータが前記記憶部に記憶されていない場合、前記開放の検知を実行せず、
前記第１閾値は前記第２閾値以下である
コンピュータプログラム。